(57)【要約】【課題】専門的な知識を持たなくとも被写体である人物を適正に照明することが可能な照明付き撮影室を提供する。【解決手段】前面が開口する箱状の撮影室本体１の天井面１２と両側壁面１３ａ，１３ｂとにそれぞれ複数個の撮影用照明器具２が埋込配置される。また、撮影室本体１の床面１１には被写体となる人物の前面に光線束を照射する補助照明器具３が埋込配置される。撮影用照明器具２および補助照明器具３は撮影室本体１の内部空間について定常的に全般照明を行い、かつ撮影用照明器具２および補助照明器具３の出射光量を可変とする光量調節器が設けられる。光量調節器はカメラ６を操作する撮影者の手元に設けた照明操作部を備え、照明操作部の操作により撮影室本体１の内部空間の光量分布を調節する。【選択図】図１
2007148019.tif 000002
【特許請求の範囲】
【請求項１】
箱状であって被写体となる人物が入る撮影室本体と、撮影室本体の天井面と両側壁面とにそれぞれ埋込配置され撮影室本体の内部空間について定常的に全般照明を行う複数個の撮影用照明器具と、撮影用照明器具の出射光量を可変とする光量調節器とを備えることを特徴とする照明付き撮影室。
【請求項２】
前記撮影用照明器具は天井面と両側壁面とにおいてぞれぞれ前後方向に複数列が配列され、前記光量調節器は各撮影用照明器具ごとの出射光量を可変とすることを特徴とする請求項１記載の照明付き撮影室。
【請求項３】
前記光量調節器は、被写体となる人物の照度と前記撮影室本体の後壁の照度との差が規定値以下になるように前記各撮影用照明器具の出射光量を連動させて調節することを特徴とする請求項２記載の照明付き撮影室。
【請求項４】
前記撮影室本体の床面に被写体となる人物の前面を斜め上向きの光線束で定常的に照明するための補助照明器具を埋込配置していることを特徴とする請求項１ないし請求項３のいずれか１項に記載の照明付き撮影室。
【請求項５】
前記撮影室本体の後壁に配置した投映用のスクリーンと、スクリーンに背面から画像を投影するプロジェクタとを備えることを特徴とする請求項１ないし請求項４のいずれか１項に記載の照明付き撮影室。
【発明の詳細な説明】
【技術分野】
【０００１】
本発明は、主として写真スタジオにおいて用いられ人物の撮影用に用いる照明付き撮影室に関するものである。
【背景技術】
【０００２】
一般に、写真館のような写真スタジオにおいて人物をカメラで撮影する際には、被写体となる人物の照度を確保するために照明が必要であり、この種の撮影用照明には、被写体を瞬間的に照明するストロボが主光源として用いられ、被写体や背景の一部分を定常的に照明するスタンドが補助光源として用いられることが多い。
【０００３】
主光源としてストロボを用いる場合には、カメラ付近に配置することが多いから、被写体である人物に対しては所望照度に照明することができる光量を投光することができたとしても、背景に到達する光量が少なくなり、人物と背景との光量差が大きくなることがある。一般に銀塩式のフィルムはデジタルカメラに比較してラティチュードが大きいから、撮影範囲内で光量差が大きくなっても、いわゆる白とびや黒つぶれを生じにくく撮影範囲の画像内に細部の情報を取り込むことができるが、デジタルカメラでは銀塩式のフィルムに比較すると画像内の情報量が少なくなる傾向がある。
【０００４】
この種の問題を解決するために、上述のような補助光源を用いたり、カメラ付近に配置したストロボに同期して発光する補助ストロボを併用することが考えられているが、適切な照度を得るには、補助光源やストロボの位置や向きを試行錯誤によって調節しなければならず、この種のライティングワークには熟練を要する。
【０００５】
ところで、被写体となる人物の撮影を無人で行うために、カメラおよび照明を備えた撮影室が提案されている（たとえば、特許文献１参照）。
【０００６】
特許文献１には、様々なアングルで撮影することができるように複数台のカメラを設置するとともに、キーライト、フィルライトとなるストロボを配置することが記載され、またバックライト、エフェクトライトとなるストロボを配置してもよいと記載されている。すなわち、特許文献１に記載された技術では、複数のストロボが用いられている。
【特許文献１】特開２０００−８１６５２号公報
【発明の開示】
【発明が解決しようとする課題】
【０００７】
特許文献１に記載された技術のように、複数のストロボを組み合わせて用いると、カメラの撮影範囲内での照度むらを抑制可能ではあるが、上述したように、位置や向きの調節が難しいという問題を有している。また、特許文献１に記載されているような１５０万画素程度の画像であれば、大判でプリントを行うことがないから画像内の情報量が少なくてもよいが、写真館で撮影する１０００万画素を超えるような画像であって、大判の写真のプリントを行うために細部まで情報を写し込むことが必要な場合には、ストロボの配置には専門的な知識が要求される。
【０００８】
本発明は上記事由に鑑みて為されたものであり、その目的は、とくに専門的な知識を持たなくとも被写体である人物を適正に照明することが可能な照明付き撮影室を提供することにある。
【課題を解決するための手段】
【０００９】
請求項１の発明は、箱状であって被写体となる人物が入る撮影室本体と、撮影室本体の天井面と両側壁面とにそれぞれ埋込配置され撮影室本体の内部空間について定常的に全般照明を行う複数個の撮影用照明器具と、撮影用照明器具の出射光量を可変とする光量調節器とを備えることを特徴とする。
【００１０】
請求項２の発明では、請求項１の発明において、前記撮影用照明器具は天井面と両側壁面とにおいてぞれぞれ前後方向に複数列が配列され、前記光量調節器は各撮影用照明器具ごとの出射光量を可変とすることを特徴とする。
【００１１】
請求項３の発明では、請求項２の発明において、前記光量調節器は、被写体となる人物の照度と前記撮影室本体の後壁の照度との差が規定値以下になるように前記各撮影用照明器具の出射光量を連動させて調節することを特徴とする。
【００１２】
請求項４の発明では、請求項１ないし請求項３のいずれかの発明において、前記撮影室本体の床面に被写体となる人物の前面を斜め上向きの光線束で定常的に照明するための補助照明器具を埋込配置していることを特徴とする。
【００１３】
請求項５の発明では、請求項１ないし請求項４のいずれかの発明において、前記撮影室本体の後壁に配置した投映用のスクリーンと、スクリーンに背面から画像を投影するプロジェクタとを備えることを特徴とする。
【発明の効果】
【００１４】
請求項１の発明の構成によれば、定常的に全般照明を行う撮影用照明器具を用いて天井面と両側壁面から照明することにより、撮影室本体の内部空間での照度差を小さくすることができる。つまり、被写体である人物と背景との照度差が小さくなり、ラティチュードの小さいデジタルカメラを用いても、白とびや黒つぶれが生じにくく、撮影範囲内の情報を細部に至るまで画像内に取り込むことが可能になるという利点がある。つまり、大判でプリントを行ったとしても美麗な写真を出力することが可能になるという利点がある。また、光量調節器を備えており、撮影用照明器具の出射光量が可変であるから、被写体となる人物の撮影に適した照度に調節することができるという利点もある。
【００１５】
請求項２の発明の構成によれば、天井面と両側壁面とにそれぞれ複数個ずつの撮影用照明器具が前後方向に配列され、各撮影用照明器具の出射光量が可変であるから、前後方向における照度の調節が容易であり被写体である人物と背景との照度差を小さくするための出射光量の調節が容易であるという利点を有する。
【００１６】
請求項３の発明の構成によれば、光量調節器によって撮影用照明器具の出射光量を連動させて調節し、被写体である人物の照度と背景である撮影室本体の後壁の照度との差を規定値以下にしているから、被写体である人物の照度を撮影に適した照度に調節するだけで、撮影室本体の後壁の照度が自動的に決定され、熟練を要することなく適正な照度で撮影することが可能になるという利点がある。
【００１７】
請求項４の発明の構成によれば、補助照明器具を用いて人物を斜め上向きの光線束で照明するから、撮影される人物の前面側を明るく照明することができる。とくに、顔付近を照明するように補助照明器具を用いれば、人物の顔を明るく照明することができる。写真館などにおいて撮影する際にもっとも重要な部分である顔を美麗に撮影することが可能になるという利点がある。
【００１８】
請求項５の発明の構成によれば、被写体である人物の背後に設けたスクリーンに背面から画像を投影するから、投影する画像を選択することによって任意の背景を作り出すことができる。つまり、背景シーンを作り出すために、従来は大判の写真を用いたり背景画を用いたりしていたものであるから、背景の変更にはコストと手間がかかっていたのに対して、スクリーンに画像を投影する構成を採用することによって、背景の変更が低コストかつ容易に行えるようになるという利点を有する。また、投影式のスクリーンを用いることによって被写体である人物の背景が適度に明るくなるから、被写体と背景との照度の均等化が容易であり、しかもストロボのように瞬間的に大光量で照明するとスクリーンに投影された画像がマスキングされ画像に写し込むことができなくなるのに対して、定常的に照明する撮影用照明器具を用いているから、スクリーンの画像は目で見た場合と同様に撮影することができる。
【発明を実施するための最良の形態】
【００１９】
以下、本発明に係る照明付き撮影室について、図１ないし図３を参照して説明する。本実施形態に用いる撮影室本体１は、写真館などの写真スタジオに設置されるものを想定しており、前面が開放された箱状に形成されている。ここに、撮影室本体１の前面とは、撮影室本体１から見て被写体を撮影するカメラ６が設置される側を意味している。つまり、撮影室本体１に入った被写体がカメラ６に向き合うときの被写体の前方を撮影室本体１についても前方という。
【００２０】
撮影室本体１の床面１１は、写真スタジオの床面とは段差を有し舞台状に形成されている。当該人物は写真スタジオの床面に設置されたカメラ６により撮影される。したがって、被写体である人物を写真スタジオの床面よりも一段高い床面１１に上がらせることによって、当該人物にステージに上がったかのような印象を与えて気分を高揚させ被写体を演じさせることができる。
【００２１】
撮影室本体１の天井面１２と両側壁面１３ａ，１３ｂとにはそれぞれ撮影用照明器具２が埋込配置される。撮影用照明器具２は、演色性の高い直管形の蛍光ランプ２１を器具本体２０に収納した照明器具であり、器具本体２０には出射面を覆う拡散透過性を有した透光パネル２２が配置されている。また、器具本体２０には複数本（たとえば、３本）の蛍光ランプ２１が収納される。１個の器具本体２０に収納される蛍光ランプ２１は撮影室本体１の前後方向に並ぶように配置される。つまり、天井面１２に配置される撮影用照明器具２では蛍光ランプ２１の長手方向が撮影室本体１の左右方向に一致し、側壁面１３ａ，１３ｂに配置される撮影用照明器具２では蛍光ランプ２１の長手方向が撮影室本体１の上下方向に一致する。さらに、本実施形態では、天井面１１と各側壁面１３ａ，１３ｂとには、それぞれ複数列の撮影用照明器具２が前後方向に配列される。
【００２２】
本実施形態では、撮影室本体１の床面１１の前部に補助照明器具３が埋込配置される。補助照明器具３は撮影用照明器具２と同様に演色性の高い直管形の蛍光ランプ３１を器具本体３０に収納した照明器具であり、器具本体３０には出射面を覆う拡散透過性を有する透光パネル３２が配置される。ただし、撮影用照明器具２は、撮影室本体１の室内全体に光が行き渡る全般照明が可能となるように配光制御がなされているのに対して、補助照明器具３は床面から被写体に向かって斜め上向きに光線束が出射されるように配光制御がなされる。つまり、器具本体３０の内面は、撮影室本体１の後方に向かって昇り傾斜する斜面と前方に向かって昇り傾斜する斜面との下端同士を結合した断面Ｖ字状に形成され、前方に向かって昇り傾斜する斜面はミラー３３であり、蛍光ランプ３１は両斜面の間に配置されている。したがって、補助照明器具３から出射する光は撮影室本体１の中に居る被写体に対して斜め上向きの光線束を照射する。
【００２３】
ところで、撮影用照明器具２および補助照明器具３は、撮影室本体１の内部空間を定常的に照明するものであって、出射光量を調節するために光量調節器４が接続されている。光量調節器４は撮影用照明器具２および補助照明器具３の出射光量を個別に変化させるものであり、撮影用照明器具２および補助照明器具３の蛍光ランプ２１，３１への供給電力を調節して調光する。ここに、撮影用照明器具２および補助照明器具３はインバータ式の点灯回路を用いるものが望ましく、点灯回路の動作を制御することによって蛍光ランプ２１，３１の調光を実現する。撮影用照明器具２および補助照明器具３は撮影室本体１の内部空間に突出しないように、透光パネル２２，３２は撮影室本体１の内周面と面一になるように配置される。
【００２４】
また、光量調節器４にはカメラ６で被写体を撮影する撮影者によって操作することができる照明操作部４１が付設されている。照明操作部４１は、個々の撮影用照明器具２および補助照明器具３の出射光量を調節することができ、また撮影用照明器具２の全体を連動させて出射光量を調節することも可能になっている。図示例では、天井面１２と両側壁面１３ａ，１３ｂとにそれぞれ３個ずつの撮影用照明器具２が配置され、床面１１には２個の補助照明器具３が配置されているから、照明操作部４１では、９個の撮影用照明器具２について個別に出射光量を調節するとともに、２個の補助照明器具３について個別に出射光量を調節する。したがって、照明用の光源の位置や向きを変更することなく、各撮影用照明器具２と各補助照明器具３との出射光量を決めるように撮影者が照明操作部４１を操作するだけで、撮影室本体１の内部空間を撮影に適した照度で照明することが可能になる。
【００２５】
また、照明操作部４１は、９個の撮影用照明器具２については、被写体となる人物の照度と撮影室本体１の後壁１４の照度との差が規定値以下になる関係で、各撮影用照明器具２の出射光量を連動させて調節する機能も有している。この動作のために、光量調節器４には各撮影用照明器具２の出射光量の対応関係を設定した光量データテーブル４２が設けられており、照明操作部４１によって光量変化が連動する操作を行う場合には、光量データテーブル４２を参照することで、各撮影用照明器具２の出射光量を決定する。したがって、被写体について所望の照度が得られるように撮影用照明器具２の出射光量を決定すると、後壁１４の照度が自動的に適正に決定される。つまり、被写体と背景との照度差が規定値以下に保たれることにより、デジタルカメラのようにラティテュードが小さい場合でも、白とびや黒つぶれを生じることなく、被写体と背景とについて細部まで情報を持った画像を撮影することが可能になる。
【００２６】
ところで、本実施形態では、撮影室本体１の後壁１４に投映用のスクリーン５１が配置されている。スクリーン５１は透過型であって、背面から投映することにより投映された画像を前面から見ることができるようになっている。スクリーン５１は被写体となる人物をカメラ６で撮影する際に、背景画像を投映できる程度の十分な大きさ（たとえば、２ｍ幅×１．８ｍ高）を有している。なお、撮影室本体１においてスクリーン５１を除く後壁１４は光沢のない乳白色の拡散反射性を有したパネルで構成するのが望ましい。このようなパネルを用いることにより  撮影用照明器具２や補助照明器具３が後壁１４に映り込むことが防止される。また、後壁１４の下端部は床面１１と滑らかに連続するように湾曲している。
【００２７】
スクリーン５１に背面から画像を投映するプロジェクタ５２は、撮影室本体１の下部に配置され、プロジェクタ５２から投映された画像は、複数枚（図示例では３枚）のミラー５３を用いて反射を繰り返した後にスクリーン５１に投映される。プロジェクタ５２の画像は、通常は静止画像であって、コンピュータで作成した画像や実写した画像などを用いることができる。たとえば、コンピュータの記憶装置あるいはＤＶＤに実写画像を複数枚記録した画像記録装置５０を用い、画像記録装置５０から適宜の画像を読み出してプロジェクタ５２に与えることで、スクリーン５１にこの画像を投映することができる。スクリーン５１に画像を投映するか否か、またどの画像を投映するかは、カメラ６を操作する撮影者の手元に配置した画像操作部５３によって選択することができる。
【００２８】
上述したように、照明操作部４１および画像操作部５３を撮影者の手元に配置し、撮影室本体１の内部の光量の分布を調節することにより、とくに熟練を要することなく適正な照明を行うように光量を調節することができ、また、背景を適宜に変更することにより、様々なシーンでの撮影を手軽に行うことができる。しかも、ストロボのように瞬間的に閃光を投光する照明ではなく、定常的に投光する照明を用いているから、あらかじめスクリーン５１に投映する明るさを調節しておけば、スクリーン５１に鮮明な画像を表示し、その画像をカメラ６で撮影することが可能になる。つまり、スクリーン５１に投映された画像が撮影用照明器具２や補助照明器具３からの光によってマスキングされず、かつスクリーン５１に投映された画像によって逆光にならないように、撮影用照明器具２や補助照明器具３の光量とプロジェクタ５２の光量との相対関係が設定される。
【００２９】
なお、上述の例ではカメラ６を撮影スタジオの床面に設置して撮影することを想定したが、撮影室本体１の床面１１にカメラ６を設置したり、カメラ６を手持ちで撮影することも可能であり、また、上述の例では前面が開口する箱状の撮影室本体１を用いたが、撮影時には開口が形成されずに閉塞空間となる撮影室本体１を用いてもよい。
【図面の簡単な説明】
【００３０】
【図１】実施形態の外観を示す斜視図である。
【図２】同上の断面図である。
【図３】同上のブロック構成図である。
【符号の説明】
【００３１】
１  撮影室本体
２  撮影用照明器具
３  補助照明器具
４  光量調節器
１２  天井面
１３ａ，１３ｂ  側壁面
５１  スクリーン
５２  プロジェクタ
【図１】
2007148019.tif 000003
【図２】
2007148019.tif 000004
【図３】
2007148019.tif 000005